(57)【要約】      （修正有）【課題】一定の形状を有するように固形化された香材を長時間、例えば、一本の線状の形状を有するように固形化された線香の場合において３０分以上の時間、に亘って継続的に自動燃焼させるための香材長時間燃焼用保持器を提供する。【解決手段】一定の形状を有するように固形化された香材の長時間燃焼用保持器であって、前記保持器が、少なくとも１箇所で前記香材を保持又は支持するように構成され、前記少なくとも１箇所において、前記香材が、通気性の耐火・耐熱性材料を介して、前記保持器の本体に保持又は支持されるように構成されることを特徴とする。【選択図】図１
2013198732.tif 000002
【特許請求の範囲】
【請求項１】
直線状に固形化された香材の長時間燃焼用保持器であって、
前記保持器が、少なくとも１箇所で、前記香材を、
通気性の耐火・耐熱性材料を介して、前記保持器の本体に保持又は支持するように構成される
ことを特徴とする香材長時間燃焼用保持器。
【請求項２】
前記保持又は支持が、直線状の香材を全体として水平方向に保持又は支持することを特徴とする請求項１記載の香材長時間燃焼用保持器。
【請求項３】
前記保持又は支持が、直線状の香材を全体として略垂直に保持又は支持することを特徴とする請求項１記載の香材長時間燃焼用保持器。
【請求項４】
前記通気性の耐火・耐熱性材料が、セラミック・ファイバーを主な構成要素とする集合体であって、該セラミック・ファイバーが、アルミナ・ファイバー、シリカ・ファイバー、アルミナ・シリカ・ファイバー、ガラス・ファイバー、又はこれらの組み合わせからなる群から選ばれた１種である
ことを特徴とする請求項１〜３のいずれか一項に記載の香材長時間燃焼用保持器。
【請求項５】
前記通気性の耐火・耐熱性材料が、セラミック多孔体であって、該セラミック多孔体の内部の空隙の少なくとも一部が、外気と連通している
ことを特徴とする請求項１〜３のいずれか一項に記載の香材長時間燃焼用保持器。
【請求項６】
前記通気性の耐火・耐熱性材料が、金属ファイバーを主な構成要素する集合体である
ことを特徴とする請求項１〜３のいずれか一項に記載の香材長時間燃焼用保持器。
【請求項７】
前記通気性の耐火・耐熱性材料が、天然木材、紙、プラスチック、天然繊維の集合体又は編み物、有機系繊維の集合体又は編み物に、液体ガラスを塗布又は含侵させたものである
ことを特徴とする請求項１〜３のいずれか一項に記載の香材長時間燃焼用保持器。
【発明の詳細な説明】
【技術分野】
【０００１】
本発明は、燃焼させることにより周囲の環境に香料を発散させることを特徴とする燃焼型香材を、例えば、３０分以上、場合によっては、数時間の長時間に亘って、継続的に燃焼させることの一助となるような香材長時間燃焼用保持器に関するものである。
【背景技術】
【０００２】
近年になって、癒し商品の一種として、線香等の燃焼型香材に対する関心が集まり、それに伴って、様々な香材燃焼用保持器が開発・提案されている。
【０００３】
これらの燃焼型香材において、その燃焼持続時間を長くするためには、一般的に、直線状の形状に固化した香材の一端に着火して、燃焼箇所がその着火点から順次他端に向かって移動するときの経過時間を長くすべく、できるだけ長さの長い線状の香材が必要となる。
【０００４】
直線状の長い香材を使って香を楽しむ場合は、その一端を何らかの耐熱性保持器に保持させることで直線状の香材をカンチレバー（片持梁）のようにして保持し、他端に着火して、燃焼箇所が当該着火した他端から順次、耐熱保持器に保持された一端に向かって移動させる方法が一般的である。
【０００５】
しかしながら、このような直線状の形状に固化した香材においては、その曲げ強度が比較的小さいので、カンチレバー式に一端で保持したときに、その自重で、曲げ応力が最大になっている保持部において折れる現象が現れるので、現実的には、一般に市販されている直径が２ｍｍの直線状の香材の場合は、長さ１２０〜１５０ｍｍが限度のようであるので、このような線状の香材を燃焼させた場合には、その燃焼持続時間は、長くても、２０〜３０分である。
【０００６】
一方、近年になって、燃焼型香材を直線状の細い竹細工の表面に塗布した線状型香材も市販されているが、かかる線状型香材においても、その中心部をほぼ直線状に走る竹の材料自体が燃焼加速要因となり、かかる線状型香材の長さを３００ｍｍ程度までにした場合でも、その燃焼持続時間は、長くても３０分から４０分である。
【０００７】
また、直線状の香材を一端から燃焼させると、燃焼の完了した部分は燃焼前の香材の線状の形状を維持したままで未燃焼部分に接続した状態で暫くは保持されますが、香材は何らかの形で覆われてはおらず、常に周囲の外気に晒された状態に維持されるので、必然的に、燃焼の結果灰に変わった部分も常に周囲の外気に晒された状態となり、その周囲の外気の流れにより発生する風圧により、あるいは、保持具全体を通じて伝わる僅かな振動により、未燃焼部分から離脱して、灰の塊となって、その場所のほぼ直下部分に落下する際に、その灰の塊を構成する極めて微細な粒子が、周囲の外気の流れに乗って、周囲に飛散する結果、保持具の周囲が、いつの間にか、粉っぽくなって、生活空間の質が低下する。
【０００８】
このような現象は、直線状の香材の長さが長ければ長いほど顕著に現れるが、その理由は、直線条の香材をカンチレバー式に一端で保持する場合に、なるべく長い香材を保持できるように香材に発生する曲げ応力をできるだけ小さくする目的で、その香材の長手方向が水平面と成す角度を５〜２０度程度にする（即ち、直線状の香材を少し斜めにして保持する）のが一般的であり、このような保持形態の場合には、保持されていない香材の先端部分は、当該香材の長さが長ければ長いほど、香材の燃焼後の灰を受ける平板皿からより離れることになるからである。従って、上記いずれの直線状の香材においても、その長さには、自ずと制限がある、即ち、連続燃焼時間に制限がある。
【０００９】
このような線状型香材の燃焼後の灰が空気の流れに乗って周囲に飛散することを防止すべく、線状型香材の一端であって香材が塗布されていない一端を保持して、この保持された一端を上にしつつ線状型香材が重力によりほぼ鉛直線に沿って垂れ下がるように構成し、その全体が、周囲からの空気の取り入れ口及び香の乗った空気の取り出し口を設けたガラス等の容器に収容するように構成された香材燃焼用保持器も開発・提案されているが、かかる香材燃焼用保持器の場合であっても、その物理形状が垂直方向に長い形状となった保持器を重力に逆らって立てるような形態で使用せざるを得ず、その場合の力学的安定性の観点からして、その高さ等のサイズには自ずと限度があり、従って、その燃焼持続時間もせいぜい３０分から４０分である。
【００１０】
以上のように、現時点では、直線状の香材を使用した場合に、その燃焼後の灰が周囲に飛散することがなく、かつ、その燃焼持続時間を３０分から４０分以上の長時間にできるような香材長時間燃焼用保持器はない。
【００１１】
【特許文献１】特開２０１１−１７７４３２号公報
【特許文献２】特開２０１１−１２１６２６号公報
【特許文献３】特開２０１０−２１４０６２号公報
【特許文献４】特開２００９−２７９２７１号公報
【特許文献５】特開２００９−２１９８４４号公報
【特許文献６】特開平２０００−８６９３４号公報
【発明の開示】
【発明が解決しようとする課題】
【００１２】
一方で、３０分から４０分以上、例えば、２〜３時間に亘る長時間の持続的燃焼を可能とし、かつ、周囲に燃焼後の灰が飛散しないような香材保持器が長く望まれている。
【００１３】
また、従来技術においては、直線状の香材を燃焼させる場合には、その直線状の香材を一端で常時保持する必要があり、その保持には、耐火・耐熱性の素材が使用されるが、その場合の材料としては、ガラス、瀬戸物、金属等の材料から成る連続体が使用されているので、直線状の香材の燃焼箇所がこれらの保持個所の表面に接する状態になると、急激に、燃焼の熱量が吸収されて、燃焼が中断するために、直線状の香材が、その全長に亘って最後まで燃焼させることが出来ず、材料の無駄（一般的に、直線状の香材の長さが１３０ｍｍ程度の場合には、その約１／２０の長さ（約６ｍｍ）の部分の香材が、毎回、未燃焼のままで廃棄されるという無駄が生じていた。
【００１４】
さらには、直線状の香材の燃焼持続時間を長くするということは、その直線状の香材の物理的・空間的な長さを長くするということになるが、一般的に、直線状の香材の曲げ強度はそれほど大きくはないので、そのような場合には、従来のように、着火点とは反対の他端を何らかの耐火・耐熱性の材料で保持するように構成することが、困難となる。
【発明を実施するための最良の形態】
【００１５】
本願発明は、香材長時間燃焼用保持器に係る発明であり、その第１の発明は、直線状に固形化された香材の長時間燃焼用保持器であって、前記保持器が、少なくとも１箇所で、前記香材を、通気性の耐火・耐熱性材料を介して、前記保持器の本体に保持又は支持するように構成されることを特徴とする香材長時間燃焼用保持器である。
【００１６】
第２の発明は、上記第１の香材長時間燃焼用保持器において、保持又は支持が、直線状の香材を全体として水平方向に保持又は支持することを特徴とする香材長時間燃焼用保持器である。
【００１７】
第３の発明は、上記第１の香材長時間燃焼用保持器において、保持又は支持が、直線状の香材を全体として略垂直に保持又は支持することを特徴とする香材長時間燃焼用保持器である。
【００１８】
第４の発明は、上記第１〜第３の発明のいずれかの発明に係る香材長時間燃焼用保持器おいて、通気性の耐火・耐熱性材料が、セラミック・ファイバーを主な構成要素とする集合体であって、該セラミック・ファイバーが、アルミナ・ファイバー、シリカ・ファイバー、アルミナ・シリカ・ファイバー、ガラス・ファイバー、又はこれらの組み合わせからなる群から選ばれた１種であることを特徴とする香材長時間燃焼用保持器である。
【００１９】
第５の発明は、上記第１〜第３の発明のいずれかの発明に係る香材長時間燃焼用保持器において、前記通気性の耐火・耐熱性材料が、セラミック多孔体であって、該セラミック多孔体の内部の空隙の少なくとも一部が、外気と連通していることを特徴とする香材長時間燃焼用保持器である。
【００２０】
第６の発明は、上記第１〜第３の発明のいずれかの発明に係る香材長時間燃焼用保持器において、前記通気性の耐火・耐熱性材料が、金属ファイバーを主な構成要素する集合体であることを特徴とする香材長時間燃焼用保持器である。
【００２１】
第７の発明は、上記第１〜第３の発明のいずれかの発明に係る香材長時間燃焼用保持器において、前記通気性の耐火・耐熱性材料が、天然木材、紙、プラスチック、天然繊維の集合体又は編み物、有機系繊維の集合体又は編み物に、液体ガラスを塗布又は含侵させたものであることを特徴とする香材長時間燃焼用保持器である。
【実施例１】
【００２２】
直線状の香材を全体として水平方向に保持する状態での断面を概念的に示す図１を参照しつつ、以下、実施例をもって、本発明を説明する。
【００２３】
保持器本体として、長さが５００ｍｍ、その長さ方向に直交する水平方向の幅が３０ｍｍ、垂直方向に直交する高さが１５ｍｍのガラス製の細長の容器であって、その長さ方向に沿ってその中央部に、当該ガラス製の細長容器の一端から内側に１０ｍｍ入ったところから、当該ガラス製の細長容器の長さ方向に直直線状に伸びる凹部であって、長さ４８０ｍｍ、幅２０ｍｍ、深さ５ｍｍの細長の凹部を有するように構成された容器を準備する。
【００２４】
次に、相田化学工業(株)から市販されているアルミナ・シリカ・ファイバーの集合体であるカオウール（登録商標）（包装時の厚みが約１cmのシート状）を工業用ハサミ等で適宜裁断して、全体として長さ約４８０ｍｍ、幅約２０ｍｍの帯状のものを調製する。
【００２５】
ここで得られた帯状になったアルミナ・シリカ・ファイバーの集合体を、軽く指で押さえながら、上記のガラス製の細長容器の中央部に延びる凹部に押し込むことにより、当該集合体が、それを構成するファイバーと当該凹部の内側の壁との摩擦力により、当該凹部から脱落しないように保持する。
【００２６】
以上により、本発明にいう香材長時間燃焼用保持器の一例が得られる。
【実施例２】
【００２７】
直線状の香材を全体として水平方向に保持する状態での断面を概念的に示す図１を参照しつつ、以下、実施例をもって、本発明を説明する。
【００２８】
保持器本体として、長さが５００ｍｍ、その長さ方向に直交する水平方向の幅が３０ｍｍ、垂直方向に直交する高さが１５ｍｍの木製の細長の容器であって、その長さ方向に沿ってその中央部に、当該ガラス製の細長容器の一端から内側に１０ｍｍ入ったところから、当該木製の細長容器の長さ方向に直線状に伸びる凹部であって、長さ４８０ｍｍ、幅２０ｍｍ、深さ５ｍｍの細長の凹部を有するように構成された容器を準備する。
【００２９】
次に、米国のAerogel.com社から市販されている高機能性多孔質セラミックの一種であるシリカ・エアロゲル（Silica aerogel）から成るタイル状のもの（長辺の長さ７５ｍｍ、短辺の長さ５０ｍｍ、厚さ７ｍｍ）を準備し、それを、通常のカッターナイフ等で複数のブロックに適宜裁断して、一つのブロックのサイズが、長さ約１０ｍｍ、幅約２０ｍｍとなるように、複数のブロック（この実施例では、全部で、１０個）ブロックを調製する。なお、これらのブロックのうち、少なくとも一つだけは、その長さが約２０ｍｍとなるようにし、このブロックは、直線状の香材に着火する端の反対の他端を乗せるためのブロックとする。
【００３０】
さらに次に、上記の木製の細長容器の中央部に延びる凹部の長さ方向に沿って、その凹部の底の表面に、上記ブロックの一端表面を、有機系の接着剤で接着すべく、市販の瞬間接着剤（ゲルタイプ）を、接着する箇所の領域に飛び飛びに２〜３点ずつ、付着させる。このようにして接着剤の付着した凹部の底部に、飛び飛びに、上記ブロックを接着させる。この場合、各ブロック相互間の距離は、直線状の香材に着火する端に近づくにしたがって、その相互の間隔が長くなるように、各ブロックを付着させる個所を選定する。例えば、直線状の香材の着火する端の反対方向の端を乗せるブロックと、そのブロックから当該着火端の方向に向かって次に配置されるブロックとの間の間隔は、これら二つのブロックの中心点の間の距離が約２５ｍｍにする。
【００３１】
最後に、直線状の香材を凹部の底部で水平に支持するに際して、支持した直線状の香材（直径約２〜３ｍｍの細長の棒状）が、当該凹部の底部の表面の上を横方向に転がったりして中央部から移動しないように、当該凹部の長手方向に沿って、各ブロックの上面にＶ字型の溝をカッターナイフ等で切込み、そのＶ字型の開放側の幅が約３ｍｍになるように構成する。
【００３２】
以上により、本発明にいう香材長時間燃焼用保持器の一例が得られる。
【００３３】
なお、直線状の香材の燃焼箇所は、水平に置いた直線状の香材が燃焼するに従って、当初の着火点の端から未燃焼の状態に維持された他端に順次移動することになるが、上記のような構成とすることにより、未燃焼部分の他端を乗せるブロックとそれの次のブロックとの間に設けられた間隙のところに燃焼箇所が移動して来ても、未燃焼部分の側の端の位置が、それを乗せるブロックの中心点の位置よりも、木製の細長容器の端に近い位置に配置されれば、未燃焼部分の自重により、片持ち梁式構造に見られるような力学的メカニズムによって、未燃焼部分の他端を何ら上から押さえ付けるものがなくても、最後まで、直線状の香材は燃焼する。
【実施例３】
【００３４】
保持器本体として、長さが５００ｍｍ、その長さ方向に直交する水平方向の幅が３０ｍｍ、垂直方向に直交する高さが１５ｍｍの木製の細長の容器であって、その長さ方向に沿ってその中央部に、当該木製の細長容器の一端から内側に１０ｍｍ入ったところから、当該ガラス製の細長容器の長さ方向に直線状に伸びる凹部であって、長さ４８０ｍｍ、幅２０ｍｍ、深さ５ｍｍの細長の凹部を有するように構成された木製容器を準備する。
【００３５】
次に、直線状の香材を凹部の底部で水平に支持するに際して、支持した直線状の香材（直径約２〜３ｍｍの細長の棒状）が、当該凹部の底部の表面の上を横方向に転がったりして中央部から移動しないように、当該凹部の底部に、当該凹部の長手方向に沿って、Ｖ字型の溝をカッターナイフ等で切込み、そのＶ字型の開放側の幅が約３ｍｍになるように構成する。
【００３６】
最後に、当該木製容器の凹部の内側の表面（凹部の底部に形成されたＶ字型の溝の内面を含む）、およびその凹部が設けられた側の当該木製容器の外側表面に、（１）特開平２０００−８６９３４号公報（発明の名称：常温硬化型無機コーティング材）に開示された方法により得られた常温硬化型無機コーティング材、又は（２）ドイツの会社であるNanopool GmbHで開発され、イギリスのNanopool社（Nanopool.com）から市販されている液体ガラスを塗布した後、常温で乾燥させる。
【００３７】
以上により、本発明にいう香材長時間燃焼用保持器の一例が得られる。
【００３８】
なお、上記（１）の常温硬化型無機コーティング材が塗布された木材、および上記（２）の液体ガラスが塗布された木材は、いずれも、耐火性となり、香材の燃焼温度（約１，０００℃）にも耐えられるものとなり、また、木材はその内部に存在する微細な空隙により断熱材でもあり、この耐火性と断熱性とが相俟って耐熱性ともなるので、上記のように構成された本発明の木製容器には、燃焼中の香材の火が本発明の木製容器に飛び移ることもなく、また、燃焼中の香材の燃焼箇所が本発明の木製容器の凹部に常時接していても、途中で燃焼が中断されることなく、最後まで、香材は燃焼する。
【実施例４】
【００３９】
直線状の香材を全体として略垂直に保持する場合の本願発明について、状態を概念的に示す図３を参照しつつ、以下、実施例をもって、本発明を説明する。
【００４０】
保持器本体を、以下のようにして、準備する。先ず、科学実験に使用するガラス製のろうと（上端開口部の直径（外径）が約９cmで、下端開口部の直径（外径）が約１cm（内径が約０．８cm）、高さが約１７cm）を準備し、これを、平たい陶器製又はガラス製の平板状物体（お皿）であって、その縦幅が約１５cm、横幅が約５cmで、その全周に亘って、高さ約１cm、厚さ０．５cmの連続突起部が具備されたものの上に、ガラス製のロート（ろうと）を、直径の大きな開口部の方を下にして、覆いかぶせるように乗せて、当該平板状物体の上に、自立させる。この場合、上記二つの物体のサイズの違いから、ガラス製のロートの下端側には、空気が自由に出入りできる開口部が形成される。また、この場合、当該ガラス製のロートの下端と当該平板状物体（お皿）のエッジ部分とは、接着剤等で固定してもしなくても良い。
【００４１】
このときに、上記操作の前に、予め、相田化学工業(株)から市販されているアルミナ・シリカ・ファイバーの集合体であるカオウール（登録商標）（包装時の厚みが約１cmのシート状）を工業用ハサミ等で適宜裁断して、縦横それぞれ約２cm角の小片（第１の小片）を調製し、この小片の広い面積を有する面に平行な一方の表面の中央部に直径約０．５cm、深さ約０．１cmの窪みを作成しておき、この小片を、当該窪みが形成された表面と反対の面に、有機系の接着剤を、直径約０．２cm程のドット状に塗布し、当該接着剤の塗布された面を、上記平板状物体の中央部に相対させて接着させておく。
【００４２】
さらに、別途、上端と下端がそれぞれ開口したガラス製の円錐台形体であって、上端の直径が約２cmで下端の直径が約３cm、高さが約４cmの円錐台形体を準備しておき、当該ガラス製円錐台形体を、直径約３cmの開口部を下にして、上記平板状物体の中央部に接着させたカオウール（登録商標）の上記小片を覆いかぶせて、当該小片が、当該ガラス製円錐台形体の内側にすっぽり収まるように、当該ガラス製円錐台形体を、上記平板状物体（お皿）の平板面の上に、自立させておく。
【００４３】
またさらに、上記の操作により上記平板状物体（お皿）の平板面の上に自立させた上記ガラス製円錐台形体の上端の開口部には、相田化学工業(株)から市販されているアルミナ・シリカ・ファイバーの集合体であるカオウール（登録商標）（包装時の厚みが約１cmのシート状）を工業用ハサミ等で適宜裁断して調製した、縦横それぞれ約２cm角の小片（第２の小片）であって、その小片の広い面積の表面に平行な一方の面からその反対側の他方の面まで貫通する内径約０．２cmの孔が形成された小片を、その一方の面の全面に有機系の接着剤を軽く塗布して、この接着剤の塗布された面を、当該自立させたガラス製円錐台形体の上端開口部に軽く押し付けて、中央部に貫通孔のある当該小片を、当該ガラス製円錐台形体の上端に固定しておく。
【００４４】
以上の操作により、最終的には、平面の中央部に直径約０．５cm、深さ約０．１cmの窪みが形成されたカオウール（登録商標）の上記小片（第１の小片）が上記平板状物体（お皿）の表面の中央部に固定され、上記ガラス製の円錐台形体がその内部に当該第１の小片を収容しつつ上記平板状物体の表面の上に自立し、当該自立したガラス製の円錐台形体の上端には、中央部に上記貫通孔のあるカオウール（登録商標）の上記小片（第２の小片）が固定されたアッセンブリー体が形成され、当該アッセンブリー体の上から（上記ガラス製の円錐台形体が具備されている側の上から）、上記ガラス製のロートを、直径の大きい側の開口部を下にして、その内部に、上記ガラス製の円錐台形体と第２の小片を収容するように、覆いかぶせて、自立させる。なお、この場合、上記平板状物体とガラス製ロートの開口のサイズの違いから、ガラス製のロートの下端側には、空気が自由に出入りできる開口部が形成される。
【００４５】
以上のようにして構成されたアッセンブリー体を準備し、上記ガラス製のロートを取り外し、上記ガラス製の円錐台形体と第２の小片を外部に露出した後、直径約０．２cm、長さ約１３cmの直線状の香材の一端を、当該第２の小片に具備された貫通孔を通して、その一端を、上記第１の小片に具備された窪みにまで到達させて、その到達した一端を下にして、ほぼ垂直に自立させる。
【００４６】
次に、上記香材の上記一端の反対側の端に着火した後、上記ガラス製のロートを、その内部に、上記のようにして他端が着火された香材を有するアッセンブリーを、収容するようにして、覆いかぶせる。このとき、当該着火された端が覆い被せたガラス製のロートの内径約０．８ｃｍの円管状の部分の内側に収用されるようにする。
【００４７】
なお、この場合の自立という意味は、直線状の香材の当該一端は、ただ単に、上記第１の小片に具備された上記窪みの上に乗っているだけであり、そのときの香材の垂直性は、上記第２の小片の貫通孔の内側の壁による支えのみに起因するものであるので、香材には、外部から、何ら機械的な保持力が加えられないという意味である。
【００４８】
また、上記小片は、アルミナ・シリカ・ファイバーの集合体であり、通気性の耐火・耐熱性材料である材料から構成されているので、香材の燃焼箇所がこの小片の表面に接しても、燃焼熱が小片に吸収されて燃焼が中断することもなく、また、通気性があるので、香材の一部がその内部に隠れるような状態になったとしても、燃焼に必要な酸素が十分供給されるので、香材の最後の部分まで完全に燃焼させることが可能となる。
【００４９】
また、上記のようにして他端が着火された香材を有するアッセンブリーは、その全体が、上記ガラス製のロートの内部に収容されるので、香材の燃焼により発生する灰の塊を構成する極めて微細な粒子が、周囲の外気の流れに乗って、周囲に飛散して、本願発明の保持具の周囲が、いつの間にか、粉っぽくなって、生活空間の質が低下することはない。
【００５０】
以上により、本発明にいう垂直保持型の香材長時間焼用保持器の一例が得られる。
【産業上の利用可能性】
【００５１】
本発明により、一般的に曲げ強度の小さな直線状の香材であっても、その燃焼を長時間維持することを可能にする香材長時間燃焼用保持器が初めて提供される。また、一般的に曲げ強度の小さな直線状の香材であっても、香材の全長に亘って最後まで燃焼させることが可能となり、香材の無駄が省ける。
【００５２】
上記は、本願発明を、単に例示的に説明するためのものであり、本願発明の範囲は、上記の例示的説明に制約されることはなく、また、当業者には、本願発明の主旨から逸脱することなく、様々な変形タイプが想到し得ることは明らかである。
【図面の簡単な説明】
【００５３】
【図１】図１：  直線状の香材を水平方向に保持する状態での断面概念図
【図１】
2013198732.tif 000003